(57)【要約】【課題】指定された日に特別な画像を表示することで、プレゼントとして贈呈された相手に驚きと感動を与える電子時計を提供する。【解決手段】電子時計１は、画像を表示する表示部４と、暦日に第１の画像を関連付けて定義する第１のデータ、および、指定日に第２の画像を関連付けて定義する第２のデータを記憶するフラッシュＲＯＭ３２と、時刻を計時し、計時した時刻に基づく日付が第２のデータで定義された指定日に含まれる場合、指定日に関連付けられた第２の画像を表示部４に表示させ、日付が第２のデータで定義された指定日に含まれず、かつ、日付が第１のデータで定義された暦日に含まれる場合、暦日に関連付けられた第１の画像を表示部４に表示させるプロセッサーと、を備える。【選択図】図２
2017181046.tif 000002
【特許請求の範囲】
【請求項１】
画像を表示する表示部と、
暦日に第１の画像を関連付けて定義する第１のデータ、および、指定日に第２の画像を関連付けて定義する第２のデータを記憶する記憶部と、
時刻を計時し、計時した前記時刻に基づく日付が前記第２のデータで定義された前記指定日に含まれる場合、前記指定日に関連付けられた前記第２の画像を前記表示部に表示させ、前記日付が前記第２のデータで定義された前記指定日に含まれず、かつ、前記日付が前記第１のデータで定義された前記暦日に含まれる場合、前記暦日に関連付けられた前記第１の画像を前記表示部に表示させるプロセッサーと、を備えることを特徴とする電子時計。
【請求項２】
請求項１に記載の電子時計において、
前記記憶部は、キャラクター画像、文字画像、および、前記文字画像を装飾する装飾画像を記憶し、
前記プロセッサーは、前記キャラクター画像、前記文字画像および前記装飾画像の少なくとも１つを組み合わせて前記第２の画像を生成し、生成した前記第２の画像を前記表示部に表示させることを特徴とする電子時計。
【請求項３】
請求項１乃至２のいずれかに記載の電子時計において、
操作指示を受け付ける指示部を備え、
前記プロセッサーは、前記指示部が受け付けた前記操作指示に基づいて、前記記憶部が記憶する前記第２のデータにおける前記指定日および前記第２の画像の少なくとも一方を書き換えることを特徴とする電子時計。
【請求項４】
請求項３に記載の電子時計において、
前記記憶部は、前記第２の画像と、識別記号と、を関連付けて記憶し、
前記指示部は、前記指定日と関連付ける前記第２の画像を前記識別記号で指示することを特徴とする電子時計。
【請求項５】
請求項１乃至４のいずれか１項に記載の電子時計において、
前記表示部は、２つの基板と、前記２つの基板の間に配置された、電気泳動粒子を含む電気泳動素子と、を含むことを特徴とする電子時計。
【請求項６】
請求項１乃至５のいずれか１項に記載の電子時計において、
前記指定日はユーザーの個人属性に応じた日付であり、
前記第２のデータは、前記ユーザーが使用を開始する前に予め前記記憶部に記憶されていることを特徴とする電子時計。
【請求項７】
暦日に第１の画像を関連付けて定義する第１のデータ、および、指定日に第２の画像を関連付けて定義する第２のデータを記憶した電子時計の制御方法であって、
時刻を計時し、計時した前記時刻に基づく日付を取得する取得工程と、
前記日付が前記第２のデータで定義された前記指定日に含まれるか、否かを判定する第１判定工程と、
前記第１判定工程で、前記日付が前記第２のデータで定義された前記指定日に含まれると判定された場合、前記指定日に関連付けられた前記第２の画像を表示する第１表示工程と、
前記第１判定工程で、前記日付が前記第２のデータで定義された前記指定日に含まれないと判定された場合、前記日付が前記第１のデータで定義された前記暦日に含まれるか、否かを判定する第２判定工程と、
前記第２判定工程で、前記日付が前記第１のデータで定義された前記暦日に含まれると判定された場合、前記暦日に関連付けられた前記第１の画像を表示する第２表示工程と、を有することを特徴とする電子時計の制御方法。
【発明の詳細な説明】
【技術分野】
【０００１】
本発明は、電子時計および電子時計の制御方法に関する。
【背景技術】
【０００２】
近年、時計の計時精度が飛躍的に向上したため、正確な時刻を表示するだけの時計は魅力が薄れ、プレゼント品や嗜好品としてファッション性や遊び心のある時計が求められる傾向が強くなっている。例えば、下記特許文献１に示すように、時計の表示画面に時刻の情報に加えて、アニメーション等の画像を表示し、更に、時間の経過と共に表示する画像を緩やかに変化させることにより、ユーザーに時の流れを感じさせる電子時計が提案されている。また、例えば、クリスマスのように、暦の上で特別な日には、電子時計が通常の画像とは異なる画像を表示し、ユーザーを楽しませる機能が開示されている。
【先行技術文献】
【特許文献】
【０００３】
【特許文献１】特開２０１５−１３７９３９号公報
【発明の概要】
【発明が解決しようとする課題】
【０００４】
しかしながら、このような時計をプレゼント品として贈呈する場合、暦上の特別な日は、テレビ等のマスメディアに大きく報じられるため、時計の表示部に通常の画像とは異なる画像を表示するだけでは、プレゼントされた使用者に驚きや感動を与えることは難しかった。また、表示部に表示される画像には、使用者に対する独自のメッセージ性がないため、プレゼントされた時計を介して送り側からのメッセージを使用者に印象付けさせることはできなかった。
本発明は、上述の課題に鑑みてなされたものであり、指定された日に特別な画像を時計に表示させることで、時計の使用者に感謝や好意などを伝えることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる電子時計は、画像を表示する表示部と、暦日に第１の画像を関連付けて定義する第１のデータ、および、指定日に第２の画像を関連付けて定義する第２のデータを記憶する記憶部と、時刻を計時し、計時した前記時刻に基づく日付が前記第２のデータで定義された前記指定日に含まれる場合、前記指定日に関連付けられた前記第２の画像を前記表示部に表示させ、前記日付が前記第２のデータで定義された前記指定日に含まれず、かつ、前記日付が前記第１のデータで定義された前記暦日に含まれる場合、前記暦日に関連付けられた前記第１の画像を前記表示部に表示させるプロセッサーと、を備えることを特徴とする。
【０００７】
このような構成によれば、電子時計は、時刻を計時し、計時した前記時刻に基づく日付が記憶部に記憶された第２のデータで定義された指定日に含まれる場合には、指定日に関連付けられた第２の画像を表示し、日付が第２のデータで定義された指定日に含まれず、かつ、日付が第１のデータで定義された暦日に含まれる場合には、暦日に関連付けられた第１の画像を表示する。従って、電子時計は、日付が指定日である場合、指定日に関連付けられた第２の画像を優先して表示するため、第２の画像を視認したユーザーに対して、指定日に関連する第２の画像を強く印象付けさせることができる。そして、第２の画像によって時計の使用者に感謝や好意を伝えることができる。
【０００８】
［適用例２］
上記適用例にかかる電子時計において、前記記憶部は、キャラクター画像、文字画像、および、前記文字画像を装飾する装飾画像を記憶し、前記プロセッサーは、前記キャラクター画像、前記文字画像および前記装飾画像の少なくとも１つを組み合わせて前記第２の画像を生成し、生成した前記第２の画像を前記表示部に表示させることが好ましい。
【０００９】
このような構成によれば、第２の画像はキャラクター画像、文字画像および装飾画像の少なくとも１つを組み合わせて生成されるため、組み合わされた画像を予め記憶部に記憶しておく場合と比較して、同じ記憶容量でより多くの画像を生成できる。
【００１０】
［適用例３］
上記適用例にかかる電子時計において、操作指示を受け付ける指示部を備え、前記プロセッサーは、前記指示部が受け付けた前記操作指示に基づいて、前記記憶部が記憶する前記第２のデータにおける前記指定日および前記第２の画像の少なくとも一方を書き換えることが好ましい。
【００１１】
このような構成によれば、記憶部に記憶された第２のデータにおける指定日および第２の画像の少なくとも一方を操作指示に基づいて書き換えることができる。
【００１２】
［適用例４］
上記適用例にかかる電子時計において、前記記憶部は、前記第２の画像と、識別記号と、を関連付けて記憶し、前記指示部は、前記指定日と関連付ける前記第２の画像を前記識別記号で指示することが好ましい。
【００１３】
このような構成によれば、指定日と関連付ける第２の画像を識別記号で指示するため、第２の画像を視認しながら指示する場合と比較して、所望の第２の画像を明確に指示できる。
【００１４】
［適用例５］
上記適用例にかかる電子時計において、前記表示部は、２つの基板と、前記２つの基板の間に配置された、電気泳動粒子を含む電気泳動素子と、を含むことが好ましい。
【００１５】
このような構成によれば、電気泳動素子を用いた表示部を含むので、一定時間、電力が供給されなくても画像を保持できるため低消費電力動作が可能になる。
【００１６】
［適用例６］
上記適用例にかかる電子時計において、前記指定日はユーザーの個人属性に応じた日付であり、前記第２のデータは、前記ユーザーが使用を開始する前に予め前記記憶部に記憶されていることが好ましい。
【００１７】
このような構成によれば、ユーザーの個人属性に応じた日付を示す指定日が予め記憶されているため、ユーザーは、指定日に優先して表示される第２の画像を驚きと感動を持って視認し、第２の画像を強く印象付けることができる。
【００１８】
［適用例７］
本適用例にかかる電子時計の制御方法は、暦日に第１の画像を関連付けて定義する第１のデータ、および、指定日に第２の画像を関連付けて定義する第２のデータを記憶した電子時計の制御方法であって、時刻を計時し、計時した前記時刻に基づく日付を取得する取得工程と、前記日付が前記第２のデータで定義された前記指定日に含まれるか、否かを判定する第１判定工程と、前記第１判定工程で、前記日付が前記第２のデータで定義された前記指定日に含まれると判定された場合、前記指定日に関連付けられた前記第２の画像を表示する第１表示工程と、前記第１判定工程で、前記日付が前記第２のデータで定義された前記指定日に含まれないと判定された場合、前記日付が前記第１のデータで定義された前記暦日に含まれるか、否かを判定する第２判定工程と、前記第２判定工程で、前記日付が前記第１のデータで定義された前記暦日に含まれると判定された場合、前記暦日に関連付けられた前記第１の画像を表示する第２表示工程と、を有することを特徴とする。
【００１９】
このような方法によれば、電子時計は、時刻を計時し、計時した前記時刻に基づく日付が、記憶された第２のデータで定義された指定日に含まれる場合には、指定日に関連付けられた第２の画像を表示し、日付が第２のデータで定義された指定日に含まれず、かつ、日付が第１のデータで定義された暦日に含まれる場合には、暦日に関連付けられた第１の画像を表示する。従って、電子時計は、日付が指定日である場合、指定日に関連付けられた第２の画像を優先して表示するため、第２の画像を視認したユーザーに対して、指定日に関連する第２の画像を強く印象付けさせることができる。そして、第２の画像によって時計の使用者に感謝や好意を伝えることができる。
【図面の簡単な説明】
【００２０】
【図１】実施形態に係る電子時計の外観図。
【図２】電気泳動表示装置の機能ブロック図。
【図３】表示部及び描画ＩＣの構成を示す図。
【図４】画素の回路構成を示す図。
【図５Ａ】電気泳動素子の構成例を示す図。
【図５Ｂ】電気泳動素子の動作の説明図。
【図５Ｃ】電気泳動素子の動作の説明図。
【図６】フラッシュＲＯＭに書き込まれたデータの一例を示す図。
【図７】表示部に表示された「パターンＭ−１」の表示画面を示す図。
【図８】特別な日に特別な画像を表示する処理の流れを示すフローチャート。
【図９】表示部に表示される記念日設定画面を示す図。
【発明を実施するための形態】
【００２１】
以下、本発明の実施形態について図面を参照して説明する。
【００２２】
（実施形態）
以下、実施形態に係る電子時計について、図面を参照して説明する。
［電子時計の概要］
図１は本実施形態の電子時計１の外観図であり、電子時計１を表示部４に垂直かつ表示部を視認可能な方向（正面）からみた平面図である。図１に示すように、本実施形態の電子時計１は、腕時計であり、時計ケース２や時計ケース２に連結された一対のバンド３等を備える。
【００２３】
時計ケース２の正面には、電気泳動表示（ＥＰＤ：Electrophoretic Display）パネルで構成された表示部４が設けられ、時計ケース２の側面（正面の方向に対して垂直な方向）には、操作ボタンＡ（５ａ）と操作ボタンＢ（５ｂ）とが設けられている。
操作ボタンＡ（５ａ）又は操作ボタンＢ（５ｂ）の押下操作（入力操作）に応じて、表示部４には各種の画像、例えば、１分毎あるいは１秒毎に更新される時刻情報を含む各種の画像、時間の経過を表現する画像、時刻修正用の画像等が表示される。
【００２４】
時計ケース２の内部には、表示部４と、表示部４を駆動する駆動装置６（図２）と、を備えた電気泳動表示装置７（図２）が設けられている。
［電気泳動表示装置の構成］
図２は、電気泳動表示装置７の機能ブロック図である。本実施形態の電気泳動表示装置７は、表示部４および駆動装置６を有する。駆動装置６は、演算ＩＣ（Integrated Circuit）１０、リアルタイムクロック（ＲＴＣ：Real Time Clock）ＩＣ２０、描画ＩＣ３０、温度計測ＩＣ４０及びリセットＩＣ５０を備えている。後述するように、本実施形態では、これらのＩＣ及び表示部４の低消費電力化を実現することで、電気泳動表示装置７は、ボタン電池等の小容量の一次電池６０でも数年間動作を継続するように構成されている。尚、電気泳動表示装置７は、充電可能な電池（二次電池）で動作するように構成されていてもよい。
【００２５】
本実施形態では、演算ＩＣ１０は、書き換え可能なフラッシュＲＯＭ１２が内蔵された汎用性の高いマイクロコンピューターユニット（ＭＣＵ）を用いて実現されており、フラッシュＲＯＭ１２に記憶されているプログラムやデータに従って動作する。従って、フラッシュＲＯＭ１２に記憶されるプログラムやデータを書き換えることで、演算ＩＣ１０の機能を容易に変更可能である。また、演算ＩＣ１０が内蔵されたムーブメント（時計の駆動装置）の状態でプログラムやデータを書き換えることもできるので、プログラム変更にも容易に対応することができる。
【００２６】
演算ＩＣ１０は、操作ボタンＡ（５ａ）及び操作ボタンＢ（５ｂ）の押下操作（入力操作）に応じて、表示部４に表示する画像の種類（スタイル）やモードを判断する処理を行う。演算ＩＣ１０が判断するモードは、例えば、１分毎に更新される時刻表示を含む画像が表示部４に表示される分更新モード、１秒毎に更新される時刻表示を含む画像が表示部４に表示される秒更新モード、絵巻画像がスクロールしながら絵巻画像の一部の画像が表示部４に順次表示されることで時の流れを想起させる絵巻モード、操作ボタンＡ（５ａ）及び操作ボタンＢ（５ｂ）の押下操作（入力操作）に応じて表示部４に表示される時刻が進められ、又は巻き戻される時刻修正モード等がある。尚、時刻修正モードを除く分更新モード、秒更新モード、絵巻モードのそれぞれはグラフィックモードの１つであり、絵巻モードの詳細は、例えば、特開２０１５−１３７９３９号公報に記載されている。
演算ＩＣ１０は、例えば、分更新モード、秒更新モード及び絵巻モードでは、リアルタイムクロックＩＣ２０から日付や時刻等の時刻情報を取得し、表示部４に表示する内容を決定する処理を行い、時刻修正モードでは、操作ボタンＡ（５ａ）及び操作ボタンＢ（５ｂ）の押下操作（入力操作）に応じた時刻修正値をリアルタイムクロックＩＣ２０に送信する処理を行う。
【００２７】
フラッシュＲＯＭ１２には、表示部４に表示されている画像を消去するためのマクロ命令（画像消去のマクロ命令）や表示部４に新規画像を描画するためのマクロ命令（新規画像描画のマクロ命令）が記憶されている。演算ＩＣ１０は、所定のタイミングで、フラッシュＲＯＭ１２から所望のマクロ命令を読み出し、描画ＩＣ３０に送信する処理を行う。
また、演算ＩＣ１０は、描画ＩＣ３０から表示部４に画像データを転送させる処理や描画ＩＣ３０に表示部４を駆動させる処理を行う。また、演算ＩＣ１０は、表示部４を駆動するための基準信号（例えば４ｋＨｚ）を描画ＩＣ３０に供給する。
また、演算ＩＣ１０は、リセットＩＣ５０からリセット信号が供給された時に、例えば強制的に時刻修正モードにするなどの初期化処理を行う。
また、演算ＩＣ１０は、温度計測ＩＣ４０や描画ＩＣ３０に電力を供給する処理、温度計測ＩＣ４０から温度計測値を読み出す処理、読み出した温度計測値に基づいて表示部４の駆動パルスの印加時間や印加タイミングを決定する処理を行う。
【００２８】
また、演算ＩＣ１０は通常動作モードとスリープモードとを有しており、通常動作モードでは演算ＩＣ１０に内蔵の発振回路（例えば、コンデンサーＣ（Capacitor）と抵抗Ｒ（Resistor）で構成されたＣＲ発振回路）が出力するクロック信号に同期して動作し、スリープモードでは発振回路が停止して通常動作モードよりも低消費電力となる。低消費電力化を実現するために、演算ＩＣ１０は、表示部４の表示を更新するための処理（上記の各処理）を行う時は通常動作モードで動作し、何も処理を行わない時は、現在のモード情報や使用中のデータを演算ＩＣ１０に内蔵のＲＡＭ（Random Access Memory）（不図示）に退避し、スリープモードで待機する。
例えば、分更新モードや絵巻モードが選択されている場合、演算ＩＣ１０は、通常動作モードの時に、表示部４に表示させる画像の描画情報（マクロ命令）を描画ＩＣ３０に送信し、リアルタイムクロックＩＣ２０が有するタイマー２２に計測を開始させた後、スリープモードに移行する。また、演算ＩＣ１０は、スリープモードの時に、リアルタイムクロックＩＣ２０からタイマー２２の所定時間を計測したこと（計測終了）を示す割り込み信号ＩＮＴ（計測終了信号）を受信して通常動作モードに移行する。
【００２９】
この他、演算ＩＣ１０は、温度計測ＩＣ４０から温度計測値を読み出して正常動作可能な高温限界または低温限界に達したか否かを判断する処理や、一次電池６０の電圧値を監視して低電圧限界に達したか否かを判断する処理等を行ってもよい。
リアルタイムクロックＩＣ２０は、水晶振動子２４を発振させて例えば３２，７６８ｋＨｚの発振信号を生成し、この発振信号を分周したクロック信号で秒、分、時等の時刻や日、月、年等の日付を計時し、秒、分、時、日、月、年等を含む時刻情報を生成する。この時刻情報は、リアルタイムクロックＩＣ２０が内蔵するレジスター（不図示）に格納され、リアルタイムクロックＩＣ２０は、演算ＩＣ１０からの要求に応じて、レジスターに格納されている一部又は全部の時刻情報を演算ＩＣ１０に送信する。
【００３０】
また、リアルタイムクロックＩＣ２０は、演算ＩＣ１０からの要求に応じて、タイマー２２の計測を開始し、タイマー２２の計測が終了すると演算ＩＣ１０に割り込み信号ＩＮＴ（計測終了信号）を送信する。タイマー２２が計測する時間は、一定時間であってもよいし、演算ＩＣ１０により指定された時間であってもよい。
描画ＩＣ３０は、演算ＩＣ１０からの画像消去のマクロ命令に応じて、現在の画像を消去するための画像データを描画ＩＣ３０に内蔵するＶＲＡＭ（Video RAM）３４に展開する処理や、演算ＩＣ１０からの新規画像描画のマクロ命令に応じて、新規画像を表示するための画像データをＶＲＡＭ上に展開する処理を行う。また、描画ＩＣ３０は、表示部４に電力を供給し、ＶＲＡＭ３４に展開した画像データを表示部４に転送する処理、描画ＩＣ３０に内蔵する昇圧回路３６で外部電源電圧（例えば５Ｖ）を昇圧した高電圧（例えば１５Ｖ）の駆動パルスを生成し、表示部４を駆動する処理を行う。
【００３１】
描画ＩＣ３０が内蔵するフラッシュＲＯＭ３２には、表示部４に表示される画像のパーツデータ（例えば、図１の表示を行うための「１」、「０」、「：」等のパーツデータ）、背景データ、画像データ等が記憶されている。演算ＩＣ１０から送信される画像消去のマクロ命令や新規画像描画のマクロ命令には、描画すべきパーツデータとその座標（各パーツデータの原点を配置すべき座標）の情報あるいは描画すべき背景データの情報等が含まれている。描画ＩＣ３０は、画像消去のマクロ命令や新規画像描画のマクロ命令に従い、フラッシュＲＯＭ３２に記憶されているパーツデータを読み出し、選択した各パーツを表示部４の表示領域の表示すべき座標に対応するＶＲＡＭ３４のアドレスに書き込み、あるいは、フラッシュＲＯＭ３２に記憶されている背景データを読み出してＶＲＡＭ３４の所定のアドレスに書き込む。
【００３２】
また、描画ＩＣ３０は、演算ＩＣ１０から供給される基準信号（例えば４ｋＨｚ）を用いて、駆動パルスの印加（送信）タイミングやパルス幅を調整する。また、描画ＩＣ３０は、ＣＲ発振回路等の発振回路３３（図３）を内蔵し、この発振回路３３により比較的高い周波数（例えば４００ｋＨｚ）のクロック信号を生成し、駆動パルスの生成処理を除く上記の各処理を行う。このように、描画ＩＣ３０が、内蔵の発振回路３３により生成されるクロック信号よりも周波数が十分低い基準信号（例えば４ｋＨｚ）を用いて駆動パルスの印加（送信）タイミングやパルス幅を調整することで、低消費電力化を図ることができる。
尚、分更新モードが選択されている場合、リアルタイムクロックＩＣ２０は、毎分００秒ちょうどになると、００秒の合図信号を演算ＩＣ１０に送信し、演算ＩＣ１０は、この合図信号を受信し、描画ＩＣ３０に対して表示部４への駆動パルスの印加（送信）を指示する。描画ＩＣ３０は、この指示を受けて表示部４に駆動パルスを印加（送信）し、表示部４は、駆動パルスを受けて新規画像（１分が経過した時刻を含む画像）を表示する。
【００３３】
このように、分更新モードにおいて、表示部４の画像更新をリアルタイムクロックＩＣ２０が送信する正確な合図信号に同期させることで、描画ＩＣ３０が生成する非同期のクロック信号に同期させる場合と比較して、より正確なタイミングで時刻表示が変わり始めるようにすることができる。
尚、描画ＩＣ３０、演算ＩＣ１０およびリアルタイムクロックＩＣ２０は、プロセッサーに相当する。また、これらのＩＣは、１つのＩＣに集積された態様も想定できる。
温度計測ＩＣ４０は、演算ＩＣ１０から電力を供給されて動作し、演算ＩＣ１０からの要求に応じて温度を計測し、温度計測ＩＣ４０に内蔵するＡ／Ｄ変換器（不図示）で温度計測値をデジタル値に変換して演算ＩＣ１０に送信する処理を行う。
リセットＩＣ５０は、操作ボタンＡ（５ａ）及び操作ボタンＢ（５ｂ）に対する所定の押下操作（例えば、同時に所定時間以上長押し）が行われた場合に、リセットＩＣ５０に内蔵のＣＲ回路（不図示）により所定時間だけリセット信号を発生させて演算ＩＣ１０に供給する。
【００３４】
［表示部及び描画ＩＣの構成］
図３は、本実施形態の表示部４及び描画ＩＣ３０の構成を示す図である。図３に示すように、本実施形態の表示部４は、アクティブマトリックス方式の電気泳動表示パネル（ＥＰＤパネル）であり、文字、数字、写真、模様、イラスト等の様々な画像を表示可能である。
表示部４には、データ線駆動回路１０１及び走査線駆動回路１０２が設けられている。また、表示部４には、データ線駆動回路１０１から延びる複数のデータ線１１１と、走査線駆動回路１０２から延びる複数の走査線１１２とが形成されており、これらの交差位置に対応して複数の画素１０３が設けられている。
【００３５】
データ線駆動回路１０１は、ｎ本のデータ線１１１（Ｘ１、Ｘ２、・・・、Ｘｎ）により各画素１０３に接続されている。データ線駆動回路１０１は、描画ＩＣ３０が内蔵するコントローラー３１の制御に従って、画素１０３のそれぞれに対応する１ビットの画像データを規定する画像信号を画素１０３に供給する。尚、本実施形態では、データ線駆動回路１０１は、画素データ「０」を規定する場合には、ローレベルの画像信号を画素１０３に供給し、画素データ「１」を規定する場合には、ハイレベルの画像信号を画素１０３に供給するものとする。
走査線駆動回路１０２は、ｍ本の走査線１１２（Ｙ１、Ｙ２、・・・、Ｙｍ）により各画素１０３に接続されている。走査線駆動回路１０２は、コントローラー３１の制御に従って１行目からｍ行目までの走査線１１２を順次選択することで、画素１０３に設けられた駆動用ＴＦＴ１０４（図４参照）のオンタイミングを規定する選択信号を供給する。
【００３６】
表示部４には、描画ＩＣ３０のＶＤＤＸ端子を介してコントローラー３１から延びる高電位電源線２０５が設けられており、この高電位電源線２０５はデータ線駆動回路１０１と接続されている。また、表示部４には、描画ＩＣ３０のＶＤＤＹ端子を介してコントローラー３１から延びる高電位電源線２０６が設けられており、この高電位電源線２０６は走査線駆動回路１０２と接続されている。コントローラー３１は、高電位電源線２０５，２０６に高電位（５Ｖ）を供給するか否かの制御を行う。
また、表示部４には、描画ＩＣ３０のＶＳＳＸ端子を介してコントローラー３１から延びる低電位電源線２０７が設けられており、この低電位電源線２０７はデータ線駆動回路１０１と接続されている。また、表示部４には、描画ＩＣ３０のＶＳＳＹ端子を介してコントローラー３１から延びる低電位電源線２０８が設けられており、この低電位電源線２０８は走査線駆動回路１０２と接続されている。コントローラー３１は、低電位電源線２０７，２０８に低電位（０Ｖ）を供給する。
【００３７】
また、表示部４には、描画ＩＣ３０のＶＣＯＭ端子、Ｓ１端子、Ｓ２端子、ＶＥＰ端子、ＶＳＳ端子を介して、それぞれ、共通電源変調回路３７から延びる共通電極配線２００、第１パルス信号線２０１、第２パルス信号線２０２、高電位電源線２０３、低電位電源線２０４が設けられており、それぞれの配線は画素１０３と接続されている。共通電源変調回路３７は、コントローラー３１の制御に従って上記配線のそれぞれに供給する各種信号を生成する一方、これら各配線の電気的な接続及び切断（ハイインピーダンス化、Ｈｉ−Ｚ）を行う。
描画ＩＣ３０は、コントローラー３１、フラッシュＲＯＭ３２、発振回路３３、ＶＲＡＭ３４、ＲＡＭ３５、昇圧回路３６及び共通電源変調回路３７を含んで構成されている。コントローラー３１は、イネーブル端子ＸＰＤＷに演算ＩＣ１０からイネーブル信号（ハイレベルの信号）が入力されるまではパワーオフ状態であり、イネーブル信号が入力されるとパワーオンする。コントローラー３１は、パワーオン状態の時、ＲＡＭ３５を作業領域として、フラッシュＲＯＭ３２、発振回路３３、ＶＲＡＭ３４、昇圧回路３６及び共通電源変調回路３７を制御し、表示部４に画像を表示させるための各処理を行う。
【００３８】
図４は、図３に示した画素１０３の回路構成図である。尚、図３と同じ配線には同じ番号を付しており、説明は省略する。また、全画素に共通の共通電極配線２００については記載を省略している。
図４に示すように、画素１０３には、駆動用ＴＦＴ（Thin Film Transistor）１０４と、ラッチ回路１０５と、スイッチ回路１０６が設けられている。画素１０３は、ラッチ回路１０５により画像信号を電位として保持するＳＲＡＭ（Static Random Access Memory）方式の構成となっている。
【００３９】
駆動用ＴＦＴ１０４は、Ｎチャネル型ＭＯＳ（Metal Oxide Semiconductor）トランジスターからなる画素スイッチング素子である。駆動用ＴＦＴ１０４のゲート端子は走査線１１２に接続され、ソース端子はデータ線１１１に接続され、ドレイン端子はラッチ回路１０５のデータ入力端子に接続されている。ラッチ回路１０５は転送インバーター１０５ｔと帰還インバーター１０５ｆとを備えている。転送インバーター１０５ｔ、帰還インバーター１０５ｆには、高電位電源線２０３と低電位電源線２０４との電位差に相当する電源電圧が供給される。
スイッチ回路１０６は、トランスミッションゲートＴＧ１、ＴＧ２からなり、ラッチ回路１０５に記憶された画素データのレベルに応じて、画素電極１３５（図５Ｂ、図５Ｃ参照）に信号を出力する。
【００４０】
ラッチ回路１０５に画素データ「１」（ハイレベルの画像信号）が記憶されて、トランスミッションゲートＴＧ１がオン状態となると、スイッチ回路１０６は第１パルス信号線２０１に伝搬する信号を出力する。一方、ラッチ回路１０５に画素データ「０」（ローレベルの画像信号）が記憶されて、トランスミッションゲートＴＧ２がオン状態となると、スイッチ回路１０６は第２パルス信号線２０２に伝搬する信号を出力する。このような回路構成により、それぞれの画素１０３の画素電極１３５に対して供給する電位が制御可能となる。
本実施形態では、表示部４は、二粒子系マイクロカプセル型の複数の電気泳動素子１３２を有し、各電気泳動素子に電界をかけることで各画素１０３の色が制御される。図５Ａは、本実施形態の電気泳動素子１３２の構成を示す図である。電気泳動素子１３２は素子基板１３０と対向基板１３１（図５Ｂ、図５Ｃ参照）との間に配置されている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とが封入されている。
【００４１】
本実施形態では、白色粒子１２７は負に帯電しており、黒色粒子１２６は正に帯電している。尚、電気泳動粒子の色は黒色及び白色に代えて、赤色及び白色など、他の組み合わせであってもよい。また、本明細書においてある物が「無色」とは、その物を介して対象物を見た場合に、その物を介さずに見た場合と比較して、対象物の色が実質的に同じと認識できる状態を言う。また、ある物が「透明」であるとは、その物を介して対象物を視認可能な状態を言う。
図５Ｂは、表示部４の部分断面図である。素子基板１３０と対向基板１３１は、マイクロカプセル１２０を配列してなる電気泳動素子１３２を挟持している。表示部４は、素子基板１３０の電気泳動素子１３２側に、複数の画素電極１３５が形成された駆動電極層３５０が設けられている。図５Ｂでは、画素電極１３５として画素電極１３５Ａと画素電極１３５Ｂが示されている。画素電極１３５により、画素ごとに電位（例えば、Ｖａ、Ｖｂ）を供給することが可能である。
【００４２】
ここで、画素電極１３５Ａを有する画素を画素１０３Ａとし、画素電極１３５Ｂを有する画素を画素１０３Ｂとする。画素１０３Ａ、画素１０３Ｂは画素１０３（図３、図４参照）に対応する２つの画素である。
一方、対向基板１３１は透明基板であり、表示部４において対向基板１３１側に画像表示がなされる。表示部４は、対向基板１３１の電気泳動素子１３２側に、平面形状の共通電極１３７が形成された共通電極層３７０が設けられている。尚、共通電極１３７は透明電極である。共通電極１３７は、画素電極１３５と異なり全画素に共通の電極であり、電位ＶＣＯＭが供給される。
共通電極層３７０と駆動電極層３５０との間に設けられた電気泳動表示層３６０に電気泳動素子１３２が配置されており、電気泳動表示層３６０が表示領域となる。画素電極１３５（例えば、１３５Ａ、１３５Ｂ）と共通電極１３７との間の電位差に応じて、画素毎に所望の色を表示させることができる。
【００４３】
図５Ｂは、共通電極側の電位ＶＣＯＭが画素１０３Ａの画素電極１３５Ａの電位Ｖａ及び画素１０３Ｂの画素電極１３５Ｂの電位Ｖｂよりも高電位の状態を示している。このとき、画素電極１３５Ａ，１３５Ｂと共通電極１３７との間には、電位ＶＣＯＭを基準として負の電圧が印加されるため、負に帯電した白色粒子１２７が共通電極１３７側に引き寄せられ、正に帯電した黒色粒子１２６が画素電極１３５Ａ，１３５Ｂ側に引き寄せられ、画素１０３Ａ，１０３Ｂは白色（第１色の一例）を表示していると視認される。
図５Ｃは、図５Ｂの状態から、共通電極１３７側の電位ＶＣＯＭが画素１０３Ａの画素電極１３５Ａの電位Ｖａよりも低電位となり、画素１０３Ｂの画素電極１３５Ｂの電位Ｖｂと同電位となった状態を示している。このとき、画素電極１３５Ａと共通電極１３７との間には、電位ＶＣＯＭを基準として正の電圧が印加されるため、正に帯電した黒色粒子１２６が共通電極１３７側に引き寄せられ、負に帯電した白色粒子１２７が画素電極１３５Ａ側に引き寄せられ、画素１０３Ａは白色から黒色（第２色の一例）に変化したと視認される。一方、画素電極１３５Ｂと共通電極１３７との間では、電位差が生じていないため、黒色粒子１２６と白色粒子１２７は図５Ｂの位置でほとんど移動せず、画素１０３Ｂは白色のまま変化していないと視認される。
【００４４】
尚、画素電極１３５と共通電極１３７との電位差の大きさあるいは電位差を生じさせる時間を制御することで、黒色粒子１２６と白色粒子１２７を両電極間の任意の中間位置で静止させれば、黒色と白色の間の任意の中間色（灰色）を表示させることもできる。
このように、ＥＰＤパネルは、一定時間、電力が供給されなくても画像を保持できるため低消費電力動作が可能であり、また、１８０度視認可能であるため、腕時計等の携帯型の電子時計１の表示部４としての使用にも適している。
［特別な日の画像表示］
電子時計１は、予め決められた日付に応じて、表示部４に表示する画像を切り替える機能を有する。例えば、ハロウィンやクリスマスのように周知されているイベントに対応する暦日には、電子時計１は、表示部４に前日まで表示していたグラフィックモードの画像に替えて、そのイベントに応じて予め設定された特別な画像（第１の画像）を表示する。
【００４５】
更に、電子時計１には、特別なイベント日、および、そのイベント日に対応する画像の設定を受け付ける機能を有する。特別なイベント日と、そのイベント日に対応する画像と、が設定された場合、電子時計１は、設定された特別なイベント日には、グラフィックモードの画像や第１の画像に替えて、設定された特別な画像（第２の画像）を最優先に表示する。
尚、特別な画像を表示する時刻が更に設定されても良い。例えば、所定の時刻が設定されている場合には、電子時計１は、設定された時刻のみ特別な画像に切り替えて表示しても良い。また、時刻が設定されていない場合には、電子時計１は、例えば、午前０時から翌日の午前０時までの１日に亘り特別な画像を表示しても良い。更に、所定時刻は電子時計１から変更可能であっても良い。
本実施形態では、これらの特別な画像を構成するためのデータや特別な日に関するデータは、フラッシュＲＯＭ３２に書き込まれている。
【００４６】
図６は、フラッシュＲＯＭ３２に書き込まれた特別な画像や特別な日に関するデータの一例を示す。尚、データの詳細な説明にあたり、表示部４に表示された「パターンＭ−１」の表示画面ＩＭＧ１を示す図７も参照する。
このフラッシュＲＯＭ（記憶部）３２には、通常カレンダーデータ８０、特別カレンダーデータ８２、パターンデータ８４および表示用データ８６が記憶される。
通常カレンダーデータ（第１のデータ）８０には、一般的に周知されている暦日のイベント日と、そのイベント日に表示するパターンデータ名と、が関連付けられている。例えば、七夕である「７月７日」は、「パターンＴＮＢＴ」が関連付けられている。また、ハロウィンである「１０月３１日」は、「パターンＨＬＷＮ」が関連付けられ、クリスマスである「１２月２５日」は、「パターンＣＲＭＳ」が関連付けられている。
【００４７】
特別カレンダーデータ（第２のデータ）８２には、設定された特別なイベント日（指定日）と、そのイベント日に表示するパターンデータ名と、が関連付けられている。尚、本実施形態では、この電子時計１は、購入者と、使用者（ユーザー）と、が異なる態様を想定する。即ち、購入者が電子時計１を購入し、使用者に電子時計１を誕生日プレゼントとして贈呈する場合を想定する。
このような場合、特別なイベント日（「１２月２５日」）は、使用者の個人属性である誕生日が設定され、特別な画像としては誕生日を祝う画像（「パターンＭ−１」）が想定できる。
本実施形態では、電子時計１は、インターネット等を介した電子商取引のウエブサイトから発注できる。購入者は、発注時に特別なイベント日と、そのイベント日に表示する画像をウエブサイト上で指定できる。ウエブサイトを管理するサーバー装置（不図示）は、発注された電子時計１のフラッシュＲＯＭ３２に、購入者が指示した特別なイベント日と、画像の情報と、を関連付けて特別カレンダーデータ８２に書き込む。
【００４８】
尚、特別カレンダーデータ８２に書き込まれる特別なイベント日と画像は、１組には限定されず、複数定義されていても良い。
表示用データ８６は、表示部４に表示される種々の画像のデータであり、キャラクター画像データ８８、装飾画像データ９０およびイニシャルデータ９２を含む。
キャラクター画像データ８８は、例えば、図７の表示画面ＩＭＧ１のように、「Ｍｉｓｓ  ｕ」というメッセージ性を有するキャラクター画像Ｐ１０に対応する画像データである。本実施形態では、フラッシュＲＯＭ３２には、キャラクター画像データ８８として、複数のキャラクター画像（Ｐ１，Ｐ２・・・）に対応する画像データが記憶されている。尚、本実施形態では、キャラクター画像（Ｐ１，Ｐ２・・・）は、アニメーション動画等のコンテンツに登場するキャラクターを含む画像を想定するが、これには限定されない。
【００４９】
イニシャルデータ９２は、例えば、図７に示す文字画像であるメッセージ画像ＭＳＧに対応する画像データである。本実施形態では、メッセージ画像ＭＳＧが示す「ｊｊ」は、使用者の氏名に基づくイニシャルを想定する。購入者は、ウエブサイトから電子時計１を発注する場合、特別なイベント日と、対応するキャラクター画像とを指定すると共に、使用者のイニシャルや、相手へのメッセージとして所定の文字数以内で任意の文字を入力できる。
装飾画像データ９０は、例えば、図７に示すメッセージ画像ＭＳＧを装飾するハート形状の装飾画像Ｄ４０に対応する画像データである。フラッシュＲＯＭ３２には、複数の装飾画像（Ｄ４０，Ｄ４２・・・）に対応する画像データが書き込まれている。
パターンデータ８４は、通常カレンダーデータ８０や特別カレンダーデータ８２で設定したパターンデータ名と、特別な画像を構成する表示用データ８６と、が関連付けられている。例えば、特別カレンダーデータ８２で、「１２月２５日」に対応する特別な画像「パターンＭ−１」は、キャラクター画像データ８８の「Ｐ１０」と、装飾画像データ９０の「Ｄ４０」と、イニシャルデータ９２と、を含んで構成されることを示している。尚、キャラクター画像データ８８は１つには限定されず、「Ｐ１０」と「Ｐ２２」のように複数の画像を合成する態様も想定できる。
【００５０】
つまり、フラッシュＲＯＭ３２には特別な画像を生成した状態で記憶せず、指定されたパターンデータ８４に基づいてキャラクター画像データ８８等を組み合わせて都度生成する。このように、画像の組み合わせによって異なる特別な画像を生成することができ、組み合わせた画像をすべて記憶することに比べて、フラッシュＲＯＭ３２が占有する記憶容量を少なくできる。また、同じ記憶容量でも多数の画像を生成できるため、記憶容量を効率的に使用できる。また、キャラクター画像データ８８や、装飾画像データ９０等は他のグラフィックモードで使用される画像データを用いることもでき、この場合、フラッシュＲＯＭ３２が占有する記憶容量をさらに効率的に使用できる。
【００５１】
図８は、特別な日に特別な画像を表示する処理の流れを示すフローチャートである。この処理は、毎分毎や、モードが変更される毎に実行される。この処理が開始されると、プロセッサーは、時刻を計時し、計時した時刻に基づく日付、例えば、今日の日付を取得する（ステップＳ１５０）＜取得工程＞。
次に、プロセッサーは、今日の日付が特別カレンダーデータ８２の特別なイベント日に設定されているか、否かを判定する（ステップＳ１５２）＜第１判定工程＞。
ここで、今日の日付が特別カレンダーデータ８２の特別なイベント日に設定されていると判定した場合（ステップＳ１５２でＹｅｓ）、プロセッサーは、特別カレンダーデータ８２から今日の日付に対応するパターンデータ名を取得し（ステップＳ１５８）、ステップＳ１６０に進む＜第１表示工程＞。
また、ステップＳ１５２において、今日の日付が特別カレンダーデータ８２の特別なイベント日に設定されていないと判定した場合（Ｎｏ）、プロセッサーは、今日の日付が通常カレンダーデータ８０のイベント日に設定されているか、否かを判定する（ステップＳ１５４）＜第２判定工程＞。
【００５２】
ここで、今日の日付が通常カレンダーデータ８０のイベント日に設定されていると判定した場合（ステップＳ１５４でＹｅｓ）、プロセッサーは、通常カレンダーデータ８０から今日の日付に対応するパターンデータ名を取得し（ステップＳ１５６）、ステップＳ１６０に進む＜第２表示工程＞。
ステップＳ１６０では、プロセッサーは、取得したパターンデータ名に応じた表示用データ８６を取得する。
次に、プロセッサーは、取得した表示用データ８６を組み合わせて表示画像を生成し（ステップＳ１６２）、ステップＳ１７０に進む。
また、ステップＳ１５４において、今日の日付が通常カレンダーデータ８０のイベント日に設定されていないと判定した場合（Ｎｏ）、プロセッサーは、現在設定されているモードやスタイルに応じた表示画像を取得し（ステップＳ１６５）、ステップＳ１７０に進む。
ステップＳ１７０では、プロセッサーは、表示画像を表示部４に表示し、処理を終了する＜第１表示工程および第２表示工程＞。
【００５３】
本実施形態では、電子時計１において、特別な日の画像を表示しないモード、例えば、時刻修正モードが選択されている場合、プロセッサーは、ステップＳ１７０において表示画像を表示部４に表示させず、時刻修正モードの表示を継続する。そして、グラフィックモードに切り替えられた際に、特別な日の画像を表示させる。しかし、これに限定されず、ステップＳ１７０において、時刻修正モードからグラフィックモードに切り替えて、特別な日の画像を表示するようにしてもよい。また、時刻修正モード等の特別な日の画像を表示しないモードにおいて、現在表示している画面の端部等に、特別な日の画像が表示されることを示すマークを表示し、使用者に報知するようにしてもよい。
また、本実施形態では、電子時計１の使用者は、特別カレンダーデータ８２に設定された特別なイベント日、および、その特別なイベント日に表示する画像を電子時計１の設定画面から変更することができる。図９は、表示部４に表示される指示部である記念日設定画面ＩＭＧ２を示す。この記念日設定画面ＩＭＧ２は、例えば、時刻修正モードと同様に、操作ボタンＡ（５ａ）及び操作ボタンＢ（５ｂ）の所定の押下操作により呼び出すことができる。
【００５４】
この記念日設定画面ＩＭＧ２では、操作指示として、月日修正部ＩＭＧ２０の月や日を選択することで特別なイベント日が決定され、更に、画像選択部ＩＭＧ２５の識別記号（Ｍ−１０，Ｍ−１１，Ｍ−１２・・・）を選択することで、特別なイベント日に表示する表示画像が決定される。尚、これらの識別記号と、表示画像と、は予め紐付けられている。使用者は、この電子時計１に関する取扱い説明書や、関連するウエブページを参照することにより、識別記号に対応する表示画像を視認しても良い。
記念日設定画面ＩＭＧ２において、設定する月日と表示画像とを同時に視認できることが好ましいが、その場合電子時計１の表示部４では表示画像が小さくなり視認しづらくなるため、画像を表示させる代わりに識別記号を用いることにより、視認しやすくすることができる。また、識別記号は、小さい表示画像を表示させるための画像データよりもデータ量が少ないため、フラッシュＲＯＭ３２の使用領域を低減できる。
また、図示は略すが、月日設定または識別記号をブランク状態や横棒（−）状態のような非選択状態にすることで、特別な日の画像表示を無効に設定できる。
更に、画像選択部ＩＭＧ２５において、キャラクター画像に紐付けされた第１の識別記号と、「Ｍｉｓｓ  ｕ」のようにキャラクター画像におけるメッセージ部分に紐付けされた第２の識別記号と、をそれぞれ個別に選択して組み合せる態様も想定できる。
【００５５】
以上述べた実施形態によれば、以下のような効果を奏する。
（１）電子時計１の購入者は、注文時に使用者に対して特別なイベント日、および、そのイベント日に対応する特別な画像の設定を行い、納品された電子時計１を使用者に贈呈する。使用者は、贈呈された電子時計１を装着して使用する。そして、特別なイベント日になると、電子時計１の表示部４には、通常表示されている画像に替えて特別な画像が表示される。特別な画像の設定を知らない使用者は、驚きを持って特別な画像を視認すると共に強い印象を受け、表示された特別な画像が示す意図やメッセージを理解して感動する。このように、電子時計１は、プレゼントとして贈呈される場合、贈呈相手に驚きと感動を与えることができる。
（２）月日修正部ＩＭＧ２０は、特別なイベント日に表示する特別な画像を識別記号で選択するため、電子時計１上で特別な画像を視認しながら指示する場合と比較して、所望の日付と画像を明確に指示できることに加え、フラッシュＲＯＭ３２の使用領域を低減できる。
（３）表示部４は、一定時間電力を供給されなくても画像を保持できるＥＰＤパネルで構成されるため、低消費電力動作が可能である。従って、例えば、ボタン電池のような小容量の電池でも数年間動作可能な電子時計１を実現することができる。
【符号の説明】
【００５６】
１…電子時計、２…時計ケース、３…バンド、４…表示部、６…駆動装置、７…電気泳動表示装置、１０…演算ＩＣ、１２…フラッシュＲＯＭ、２０…リアルタイムクロックＩＣ、２２…タイマー、２４…水晶振動子、３０…描画ＩＣ、３１…コントローラー、３２…フラッシュＲＯＭ、３３…発振回路、３４…ＶＲＡＭ、３５…ＲＡＭ、３６…昇圧回路、３７…共通電源変調回路、４０…温度計測ＩＣ、５０…リセットＩＣ、６０…一次電池、８０…通常カレンダーデータ、８２…特別カレンダーデータ、８４…パターンデータ、８６…表示用データ、８８…キャラクター画像データ、９０…装飾画像データ、９２…イニシャルデータ、１０１…データ線駆動回路、１０２…走査線駆動回路、１０３…画素、１０３Ａ…画素、１０３Ｂ…画素、１０４…駆動用ＴＦＴ、１０５…ラッチ回路、１０５ｆ…帰還インバーター、１０５ｔ…転送インバーター、１０６…スイッチ回路、１１１…データ線、１１２…走査線、１２０…マイクロカプセル、１２６…黒色粒子、１２７…白色粒子、１３０…素子基板、１３１…対向基板、１３２…電気泳動素子、１３５…画素電極、１３５Ａ…画素電極、１３５Ｂ…画素電極、１３７…共通電極、２００…共通電極配線、２０１…第１パルス信号線、２０２…第２パルス信号線、２０３…高電位電源線、２０４…低電位電源線、２０５…高電位電源線、２０６…高電位電源線、２０７…低電位電源線、２０８…低電位電源線、３５０…駆動電極層、３６０…電気泳動表示層、３７０…共通電極層。
【図１】
2017181046.tif 000003
【図２】
2017181046.tif 000004
【図３】
2017181046.tif 000005
【図４】
2017181046.tif 000006
【図５Ａ】
2017181046.tif 000007
【図５Ｂ】
2017181046.tif 000008
【図５Ｃ】
2017181046.tif 000009
【図６】
2017181046.tif 000010
【図７】
2017181046.tif 000011
【図８】
2017181046.tif 000012
【図９】
2017181046.tif 000013